(57)【要約】      （修正有）【課題】自動で常に完全に閉まるように改造する安価で簡易な引戸自動閉め器具を提供する。【解決手段】１）錘を吊り下げたワイヤーを支える滑車部品１を、引戸引き込み（又は開き時突当て）側の戸枠上隅に、側面が戸枠上部ガイド溝の縁に沿うように取付ける。２）張力を、引戸が閉まる方向に１８０°転換する為の滑車部品２を、閉まり時突当り側の戸枠上隅に、上記１）と同じ要領で取付ける。３）引戸上部側面に、引張りワイヤーを取付ける部品３を、その上端が部品１の上面と一致して、かつ引戸端より１０ｃｍ前後の位置に取付ける。【選択図】図１
0003112605.tif 000002
【実用新案登録請求の範囲】
【請求項１】
既設の手動引戸を、開ける時は従来と変わらないが、それ以外は、錘を吊り下げたワイヤーの張力で、常に自動的に閉まる様に、容易に改造する為の、以下の特長を持つ１．から５．の部品の構造と組合せ。
−既設の引戸及び戸枠を改造する事無く、取付け痕が最小限、又は全く無く、取付けられる。
−低コストで、特別の工具無しで、誰でも簡単、容易に取付けられる。
１．引戸戸枠の引き込み側上隅角に取付られる様に、直角に曲げられた板の内側に、錘を吊るした垂直のワイヤーを９０°方向転換し、重力を水平張力に変換する為の滑車が組み込まれて、取付時、滑車の側面が戸枠上面に垂直且つ引戸と平行面になる、面ファスナーでも取付けられる部品
２．戸枠の引戸閉まり時突当り側上隅角に取り付けて、部品１．で水平方向に曲げられたワイヤーを、１８０°折返し、張力を引戸が閉る方向に変換する為の滑車が、部品１．と同じ直角の板の内側組み込まれて、取付けた時、滑車の側面が戸枠上面と平行の水平面になる、面ファスナーでも取付けられる部品
３．ワイヤー先端を、引戸に引掛ける為のフック状の曲がり部分を設けた面ファスナーでも取付けられる板状の部品
４．錘をぶら下げて、張力で、引戸を引張るワイヤー
５．重量調整する為、単位重量の錘を必用個数、取付けられる錘り用部品。
【請求項２】
請求項１と同じ部品の組合せを、請求項１と同様の方法で、開き扉及びその枠に取付けて、開き扉が、自動的に閉まるようにする応用方法。但し、その場合、部品３のみは、開き扉の先端側上隅に、閉じた状態でワイヤーが水平且つ扉に垂直になる位置に取付ける。それによって、ワイヤーは部品２．に於いて、開き扉の回転円弧の方向に追従して曲がり、扉が閉じる方向に引っ張る。
【考案の詳細な説明】
【技術分野】
【０００１】本考案は、家屋用等の引戸を常時、自動的に、完全に閉まる様に、容易に素人でも改造出来る、安価で簡易な構造の部品の組合せである。
さらに、同一部品及び方法を開き扉にも応用出来る。
〔背景技術〕【０００２】扉を自動的に閉める装置は、多く既存している。バネや空気圧を利用した方法、電動式等である。引戸に関しては、ガイドレールに傾斜を付ける方法もある。いずれも、高価で、素人が簡単に取付けるには不適である。
〔考案の開示〕
〔考案が解決しようとする課題〕【０００３】一般住宅等には、引戸が多く使用されており、その多くは手動開閉式である。一般に、開ける時は、不便を感じないが、完全に閉めるには、背後での操作となるので、特に注意と手間を要する。閉め忘れる事や、閉めたつもりでも、反動等で、隙間が生じる事が多々ある。
その課題を解決する為に、引戸を開ける時は従来と変わりがないが、それ以外は、常に自動で完全に閉まるように改造出来る安価で簡易な手段があれば便利である。
〔課題を解決するための手段〕【０００４】引戸の外枠に、非常に簡便な取付けが可能で、左右どちらの方向の引戸にも対応できる部品群を既存の設備に最小限の取付け痕ですむか、又は一切残さない方法で取付けて、その部品群を通るワイヤーを重さ調整可能な錘で引っ張り、そのワイヤーの張力で引き戸を常に閉まる方向に引っ張る事により、引き戸が、常に完閉する様に改造する手段。さらに、本手段は、同一部品及び同様の方法で、開き扉にも、同じ目的に使用出来る。
〔考案の効果〕【０００５】−既存の装置、器具に比べて、はるかに安価で、容易に引戸又は開き扉の閉じ動作の自動化が可能である。
−既設の引戸又は開き扉に、特別の加工や工事なしで、素人でも簡単に取付けが出来て、取付け痕も最小限である。
−閉じ速度の調整が、非常に簡単容易で、好みどうりに出来る。
−部品が小型で、出入りに障害がなく、目障りにならない場所に取付られる。
〔考案を実施するための最良形態〕〔実施例〕〔産業上の利用可能性〕【０００６】−本考案に基づく部品群及びその取付け説明書をセットで、日用工具雑貨店等で販売する。一般家庭でも、安価で、誰でも容易に家庭内の引戸又は開き扉を自動化出来る。
−新築家屋又はリホーム用のオプションとしても有用である。
【図面の簡単な説明】
【０００７】〔図１〕  本考案の部品群の取付け配置を示した立体図である。
１）錘を吊り下げたワイヤーを支える滑車部品１を、引戸引き込み（又は開き時突当て）側の戸枠上隅に、側面が戸枠上部ガイド溝の縁に沿うように取付ける。取付けは、面ファスナーで貼り付けるか、木ネジでとめるか又は両方でもよい。
２）張力を、引戸が閉まる方向に１８０°転換する為の滑車部品２を、閉まり時突当り側の戸枠上隅に、上記１）と同じ要領で取付ける。
３）引戸上部側面に、引張りワイヤーを取付ける部品３を、その上端が部品１の上面と一致して、かつ引戸端より１０ｃｍ前後の位置に取付ける。
取付け方法は上記１）と同じである。
４）ワイヤー先端を加工（例えば、リング状に折り返してクリップで固定する）して、留め部品に引掛けられるようにする。
５）上記４）で加工したワイヤー先端を取付け部品３に引掛け、そのワイヤーを、図面の４の様に滑車部品１、２に通して、他端に錘部品（例えば、網袋に鉛円柱を入れた図面の５の様なもの）を取付ける。引戸の閉まり速度を好みにするために、基本錘に加えて、調整用錘を順次追加する事によって、重さを調整する。
６）開き扉に応用する場合は、部品３の取付け位置を除いて、引戸の場合と同じで、部品３を開き扉の、先端側上隅に、閉じた状態で、ワイヤーが水平且つ扉に垂直になる位置に取付ける。
〔図２〕  本考案の部品群の実物具体例の図
１）滑車部品１、２
−製作を容易かつ低コストにするために、市販されている標準の戸車用の部品である溝付き車輪を、同じく市販の面ファスナーで充分な強度を確保出来る粘着面積を持つブラッケトに組み付けた構造になっている。
−ブラケットには、木ネジ取付け用穴も併設されている。
−左右どちらの方向の引戸にも対応出来るように、本部品は対称形になっている。
２）ワイヤー留め部品３
面ファスナーで取付け出来る部品で、同じく粘着強度を保つための面積が確保されている。木ネジの使用が可能な場合は、必ずしも本部品を使用する必用はなく、突き出した木ネジの頭部で代用しても良い。
【符号の説明】
【０００８】１：引戸閉じ方向側の戸枠上隅に取り付ける滑車組込み部品
２：引戸開き方向側の戸枠上隅に取り付ける滑車組込み部品
３：ワイヤー先端固定金具
４：引戸引張り用ワイヤー
５：ワイヤー張力調整用錘
【図１】
0003112605.tif 000003
【図２】
0003112605.tif 000004
【手続補正書】
【提出日】平成17年4月13日(2005.4.13)
【手続補正１】
【補正対象書類名】実用新案登録請求の範囲
【補正対象項目名】全文
【補正方法】変更
【補正の内容】
【実用新案登録請求の範囲】
【請求項１】
手動引戸を、既設の設備を改造する事無く、錘を吊り下げたワイヤーの張力で自動的に閉まる様に改造する目的で考案された部品セットであって，
１）錘を吊るした垂直のワイヤーを９０°方向変換して重力を水平張力に変換する、戸枠の引戸引込み側上隅に取付けられる、上下逆Ｌ字形の板の上板の内面に、垂直且つ側面に平行に溝付滑車が取付けられた滑車部品と、
２）その部品を通過したワイヤーを水平面で１８０°折返し、張力を引戸が閉る方向に変換する、戸枠の引戸閉まり時突当り側上隅に取付けられる、同じく上下逆Ｌ字形の板の縦板の内面に、溝付滑車が水平面に取付けられた滑車部品と、
３）ワイヤー先端を引戸に引掛けるフック状の曲がり部分を設けた、引戸面の上端に取付けられるワイヤー留部品と、
４）錘をぶら下げて、引戸を引張る引戸引張ワイヤーと、
５）ワイヤーに張力を与え且つ調整する為の、重さが調整出来る、張力調整錘とからなる部品群の構造とその組合せの構成からなることを特徴とする簡易引戸自動閉部品セット。
【手続補正２】
【補正対象書類名】明細書
【補正対象項目名】全文
【補正方法】変更
【補正の内容】
【考案の詳細な説明】
【技術分野】
【０００１】本考案は、家屋用等の引戸を、常時、自動的に完全に閉まる様に改造する為の、安価で素人でも簡易に取付けられる様に考案された構造の部品群とその組合せ構成からなる部品セットである。
【背景技術】
【０００２】扉を自動的に閉める装置は、多く既存している。バネや空気圧を利用した方法、電動式等である。引戸に関しては、ガイドルールに傾斜を付ける方法もあるが、いずれも、高価で、素人が簡単に取付けるには不適である。
【考案の開示】
【考案が解決しようとする課題】
【０００３】一般住宅等には、引戸が多く使用されており、その多くは手動開閉式である。一般に、開ける時には問題ないが、閉める時には、背後での操作となるので、閉め忘れる事や、閉めたつもりでも、反動で隙間が生じる事が多々ある。
その課題を解決する為に、引戸を開ける時は従来と変わりがないが、それ以外は、常に自動で完全に閉まるように改造出来る安価で簡易な手段があれば便利である。
【課題を解決するための手段】
【０００４】手動引戸を、既設の設備を改造する事無く、錘を吊り下げたワイヤーの張力で常に自動的に閉まる様に改造出来る、以下の１．から５．の構造の部品とその組合せからなるものとした。
１．錘を吊るした垂直のワイヤーを９０°方向変換して重力を水平張力に変換する、戸枠の引戸引込み側上隅に取付けられる、上下逆Ｌ字形の板の上板の内面に、垂直且つ側面に平行に溝付滑車が取付けられた滑車部品１。
２．上記部品を通過したワイヤーを水平面で１８０°折返し、張力を引戸が閉る方向に変換する、戸枠の引戸閉まり時突当り側上隅に取付けられる、同じく上下逆Ｌ字形の板の縦板の内面に、溝付滑車が水平面に取付けられた滑車部品２。
３．ワイヤー先端を、引戸に引掛ける為のフック状の曲がり部分を設けた、引戸面の上端に取付けられるワイヤー留部品。
４．錦をぶら下げて、張力で引張る、引戸引張ワイヤー。
５．ワイヤーに張力を与え且つ調整する為の、重さが調整出来る張力調整錘。
【考案の効果】
【０００５】１）既存の装置、器具に比べて、はるかに安価で、容易に引戸の閉じ動作の自動化が可能である。
２）既設の設備に特別の加工や工事なしで、素人でも簡単に取付けが出来て、取付け痕も最小限である。
３）閉じ速度の調整が、非常に簡単容易で好みどうりに出来る。
４）部品が小型で、出入りに障害がなく、目障りにならない場所に取付られる。
【考案を実施するための最良形態】
【０００６】１）錘を吊り下げたワイヤーを支える滑車部品１を、引戸引込み（又は開き時突当り）側の戸枠上隅に、側面が戸枠上部ガイド溝の縁に沿うように取付ける。取付けは、面ファスナーで貼り付けるか、木ネジでとめるか又は両方でもよい。
２）張力を、引戸が閉まる方向に１８０°転換する滑車部品２を、閉まり時突当り側の戸枠上隅に、上記１）と同じ要領で取付ける。
３）引戸上端側面に、ワイヤー留部品を、その上端が部品１の上面と一致して、かつ引戸先端より約１０ｃｍ以上離れた位置に取付ける。取付け方法は上記１）と同じである。
４）引戸引張ワイヤーの先端を加工（例えば、リング状に折り返してクリップで固定する）して、ワイヤー留部品に引掛けられるようにする。
５）上記４）で加工した引戸引張ワイヤー先端をワイヤー留部品に引掛け、そのワイヤーを、図面の４の様に滑車部品１、２に通して、他端に張力調整錘（例えば、網袋に鉛円柱を入れた図面の５の様なもの）を取付ける。それによってワイヤーに張力が発生し、その張力が滑車部品１、２で方向転換して、ワイヤー留部品に伝わり、引戸を常に閉まる方向に引っ張る。引戸の閉まり速度を好みにするために、基本錘に加えて、調整用錘を順次追加する事によって、張力が調整出来る。
【図面の簡単な説明】
【０００７】
【図１】本考案を示す全体図である。
【符号の説明】
【０００８】１．滑車部品１．
２．滑車部品２．
３．ワイヤー留部品
４．引戸引張ワイヤー
５．張力調整錘
【手続補正３】
【補正対象書類名】図面
【補正対象項目名】全図
【補正方法】変更
【補正の内容】
【図１】
0003112605.tif 000005